(57)【特許請求の範囲】
【請求項１】
駆動装置により２つの終位置間を往復動可能な部材が終位置に到達した際に、駆動装置に対する制御信号を発生し、この信号によって駆動装置の停止、又は駆動方向の変更を行うことによって前記部材を位置決めする方法において、
前記部材（２０）が終位置（２２，２４）のうちの少なくとも一方に初回に到達したさいに駆動装置（１３）の位置を検知し、この検知した位置を記憶し、部材（２０）が前記終位置に次回に接近する間、後調整が行われていない限りは、前記終位置（２２，２４）に到達する前に、駆動装置を停止させるか、又は駆動方向を変更し、前記部材が終位置（２２，２４）のうちの少なくとも一方へ選択可能な回数だけ接近した後、前記後調整を行い、この後調整において、前記部材が終位置のうちの一方に到達した時に部材を停止させ、駆動装置の位置を改めて検知し、かつ改めて記憶し、この改めて記憶した位置を前記前もって記憶した位置の代わりに用いる、ことを特徴とする、部材を位置決めする方法。
【請求項２】
終位置（２２，２４）への前記部材（２０）の初回到達時に、駆動装置（１３）の駆動軸（１４）の位置を検知し、次いで、終位置（２２，２４）の間における駆動軸（１４）の回転数を検知することを特徴とする、請求項１記載の方法。
【請求項３】
駆動軸（１４）が選択可能な回数だけ回転すると、終位置（２２，２４）への前記部材（２０）の到達前に、駆動装置（１３）を停止させることを特徴とする、請求項１又は２記載の方法。
【請求項４】
駆動軸（１４）が１〜５回転すると、終位置（２２，２４）への前記部材（２０）の到達前に、駆動装置（１３）が停止することを特徴とする、請求項３記載の方法。
【請求項５】
前記部材（２０）の接近回数が３〜９回であることを特徴とする、請求項１記載の方法。
【請求項６】
部材（２０）が終位置（２２，２４）又は終位置（２２，２４）の手前の停止位置に到達する前に、駆動装置（１３）が駆動軸（１４）の回転数を徐々に減少させることを特徴とする、請求項１から５までのいずれか１項に記載の方法。
【発明の詳細な説明】
【０００１】
【発明の属する技術分野】
本発明は、駆動装置により２つの終位置間を往復動可能な部材が終位置に到達した際に、駆動装置に対する制御信号を発生し、この信号によって駆動装置の停止、又は駆動方向の変更を行うことによって前記部材を位置決めする方法に関する。
【０００２】
【従来の技術】
２つの終位置間で部材を往復動させる駆動装置と部材を組合わせることは公知である。終位置には、普通、終端ストッパが配置され、部材は駆動装置によって終端ストッパへ向かって動かされる。終端ストッパに到達すると、例えばリミットスイッチが作動し、駆動装置が停止する。更に、部材を、駆動装置を介して終端ストッパに突き当たらせ、電動モータ式駆動装置においてモータ電流又はモータ回転数の変化を検出した後、駆動装置を停止させることも、公知である。これらいずれの構成にも見られる欠点は、終端ストッパの１つに対して可動部材が衝突する度に、駆動装置、可動部材、終端ストッパのいずれにも機械的負荷が加わる点である。例えば、自動車の電動式ウインドリフタは、上下のストッパに衝突する。特に下方ストッパへの衝突時には、比較的強い衝撃が生じ、この衝撃は、移動したウインドリフタのエネルギー質量によって増強される。ウインドリフタシステムは、したがって、高い機械的負荷を受け、この負荷により、疲れ強さに、ひいては寿命にマイナスの影響が与えられる。
【０００３】
ドイツ連邦共和国特許出願公開第３７２９３１２号明細書により公知の、部材を位置決めする方法の場合は、終位置となる終端ストッパに代えて、実際値トランスミッタが用いられており、被位置決め部材と同期に可動の測定素子の位置が検出される。測定素子の位置は、電子式に評価分析され、駆動装置のモータが制御される。
【０００４】
【発明が解決しようとする課題】
従って本発明の課題は、冒頭で述べたような方法を改良して、位置決めしたい部材と駆動装置との疲れ強さが減少されるような、部材を位置決めする方法を提供することである。
【０００５】
【課題を解決するための手段】
この課題を解決するために本発明の方法では、位置決めしたい部材が終位置のうちの少なくとも一方に初回に到達したさいに駆動装置の位置を検知し、この検知した位置を記憶し、部材が前記終位置に次回に接近する間、後調整が行われていない限りは、前記終位置に到達する前に、駆動装置を停止させるか、又は駆動方向を変更し、前記部材が終位置のうちの少なくとも一方へ選択可能な回数だけ接近した後、前記後調整を行い、この後調整において、前記部材が終位置のうちの一方に到達した時に部材を停止させ、駆動装置の位置を改めて検知し、かつ改めて記憶し、この改めて記憶した位置を前記前もって記憶した位置の代わりに用いるようにした。
【０００６】
【発明の効果】
請求項１に記載の特徴を有する本発明の方法は、位置決めしたい部材と駆動装置とから成る駆動システムの疲れ強さが著しく改善される効果を有している。少なくとも一方の終位置への初回到達時に、駆動装置の位置が検知かつ記憶され、部材が次回、この終位置に接近すると、到達前に、駆動装置の停止又は駆動方向変更が行われることによって、被位置決め部材を適時に停止させることができ、この結果、終端ストッパの１つとの機械的衝突が避けられる。これによって、駆動システム全体の機械的負荷が著しく低減される。加えて、駆動装置を駆動方向での全速状態から停止させる必要がなくなるため、駆動装置の駆動モータの負荷も減少する。場合によっては、被位置決め部材の終位置での駆動装置の位置を検知して、駆動エネルギーを徐々に低減し、部材の終位置到達前に駆動装置を衝撃なしに制動するようにすることも考えられる。したがって、本発明の方法によれば、全体として、２つの終位置間で、部材を極めて穏やかに位置決めすることができる。
【０００７】
本発明の有利な方法によれば、終位置の少なくとも一方への部材到達時に、駆動装置の位置を検知した後、毎回、駆動装置を、部材の終位置到達前に停止させるようにし、部材は、終位置への選択可能な回数だけ接近させた後、終位置到達前に停止させず、終位置へ移動させるようにされている。こうすることによって、駆動システム全体が効果的に後調整でき、その結果、規定通りの使用のさいに生じる終位置変動や駆動システム全体の変動を修正できる。したがって、場合により発生する変動にもかかわらず、部材は、終位置到達前に適時に常に確実に停止することができる。
【０００８】
被位置決め部材の、少なくとも１つの終位置を本発明により学習若しくは後学習させることによって、全体として、部材が２つの終位置間を往復動し得るサイクル数を効果的に増加させることができ、したがって、駆動システムの寿命全体を延長させることができる。
【０００９】
本発明のこのほかの有利な方法は、請求項２以下の各項に記載されている。
【００１０】
【発明の実施の形態】
以下で本発明の実施例を添付図面につき詳説する。図面には、本発明の方法を実施するための装置が略示されている。
【００１１】
図面には、部材を位置決めするための駆動システム全体が、符号１０で略示されている。駆動システム１０は、電動モータ１２として構成された駆動装置１３を有している。電動モータ１２の駆動軸１４は、おおよその輪郭が図示されているだけの伝動装置１６とかみ合っている。伝動装置１６は、伝達部材１８を介して、位置決めしたい部材２０と連結されている。部材２０は、それぞれ終端ストッパ２６，２８により形成された第１の終位置２２と第２の終位置２４との間を、駆動装置１３によって往復動せしめられる。電動モータ１２は、モータ接続線３０，３２を介して制御回路３４と接続されている。電動モータ１２の駆動軸１４には信号発生器３６が配置されており、この信号発生器３６の信号がセンサ３８によって検知可能である。センサ３８は、評価回路４０と接続されている。評価回路４０は、制御回路３４の入力部４２と接続されている。
【００１２】
図示の駆動システム１０は、例えば自動車のウインドリフタの位置調節に使用できる。しかし、それは、考えられる１つの使用例に過ぎない。駆動システム１０は、言うまでもなく、そのほか、１つの部材が２つの終位置間を往復動するあらゆる用途に、適用可能である。それらの用途は、自動車への装備に限定されるものではない。
【００１３】
図示の駆動システム１０は、以下で述べる機能を有しているが、ここでは、自動車のウインドリフタ用の駆動システムについて述べる。
【００１４】
駆動システム１０を最初に組付けた後、電動モータ１２が、制御回路３４を介して作動する。回転する駆動軸１４が伝動装置１６とかみ合っているので、伝達部材１８と部材２０とは、公知の形式で終端ストッパ２６，２８のうちの１つへ向かって移動せしめられる。以下では、終端ストッパ２６が、ウインドリフタの下方ストッパで、終端ストッパ２８が、対応する上方ストッパであることを前提とする。駆動軸１４の各回転毎に、信号が、信号発生器３６を介してセンサ３８へ送られる。部材２０が終端ストッパ２６へ向かって移動せしめられ、そこに到達すると、センサ３８は、信号発生器３６のパルスがもはや発せられないことを検知する。このことに基づき、評価回路４０が、制御回路３４に対し、電動モータ１２を停止する制御信号を発する。評価回路４０内の、ここには詳説しないカウンタが、同時にゼロにされる。次いで、電動モータ１２が、制御回路３４を介して再び起動される。これにより、部材２０が、今度は終端ストッパ２８へ向かって移動する。この場合も、センサ３８を介して、駆動軸１４の回転数に対応する数の、信号発生器３６の信号が受信され、評価回路４０で検出される。この目的のために、例えば、適当なカウンタを動作させる。部材２０が終端ストッパ２８に到達すると、センサ３８へ信号が発せられなくなり、このため電動モータ１２を停止させる相応の制御信号が、制御回路３４へ送られる。したがって、駆動システム１０の作動後、評価回路４０には、部材２０が終端ストッパ２６から終端ストッパ２８まで移動する間に、電動モータ１２の駆動軸１４が何回転せねばならないかが記憶される。したがって、終端ストッパ２６，２８は、電動モータ１２の回転数に関連して規定される。つまり、終端ストッパ２６，２８の位置が学習される。このように駆動システム１０を調節した後、それ以後の規定通りの使用の間、評価回路４０内で駆動軸１４の回転数を記憶しているカウンタが、部材２０の移動方向に応じて、上下の記憶値に照らして回転数をカウントする。このカウンタの計数を評価することにより、終端ストッパ２６，２８への部材２０の接近が検知される。カウンタの計数が、所定値、すなわち、駆動軸１４があと数回転すると部材２０が終端ストッパ２６，２８に到達することを示す所定値に達すると、評価回路４０から、電動モータ１２を停止させる信号が制御回路３４へ送られる。これにより、部材２０は、終端ストッパ２６，２８に衝突する前に、停止する。したがって、部材２０の、終端ストッパへ２６，２８の衝突により全駆動システム１０に加えられる機械的負荷が防止される。部材２０をそのつど終端ストッパ２６，２８の手前で停止させる電動モータ１２の回転数は、自由に選定可能である。
【００１５】
評価回路４０には、終端ストッパ２６，２８への部材２０の接近サイクルを検知する別のカウンタを備えることもできる。このカウンタは、次のように構成しておく。すなわち、部材２０を終端ストッパ２６，２８の一方又は双方へ選択可能な回数だけ接近させた後、部材２０を、終端ストッパ２６，２８への到達前には停止させず、終端ストッパ２６，２８へ向かって進めるように、制御回路３４への制御信号が発せられるようにする。同時に、電動モータ１２の回転数を検知するカウンタが、ゼロに設定される。これによって、終端ストッパ２６，２８の後学習が行われ、その結果、駆動システム１０の作動中に生じる偏差が補償される。他方の終端ストッパ２６，２８への次回の部材到達時に、再び電動モータ１２の回転数が、センサ３８を介して検知され、相応に評価回路４０に記憶される。これによって、常時、つまり、駆動システム１０が比較的長期間にわたって使用されても、部材２０が、終端ストッパ２６，２８の手前で確実に停止するようにすることができる。
【００１６】
具体的な実施例によれば、評価回路４０は、例えば次のように調節できる。すなわち、部材２０が、実際の終端ストッパ２６，２８の手前の、例えば駆動モータ１２の２回転分のところで停止するようにするのである。終端ストッパ２６，２８への部材２０の接近サイクル回数は、その都度接近サイクル後に後学習され、例えば５回とする。
【００１７】
したがって、全体としては、部材２０を、双方の終端ストッパ２６，２８の間で穏やかに衝撃なしに往復動させ得る駆動システム１０が得られる。このため、駆動システム１０の摩耗は減少し、全体の寿命が延長される。特に、部材２０が、終端ストッパ２６，２８に向かって移動できるサイクル数を増加することができる。
【００１８】
前述の実施例は、１例に過ぎない。別の適当な装置によって、電動モータ１２の回転数を検知し、相応の評価若しくは制御回路３４の起動制御を生じさせることも可能である。
【図面の簡単な説明】
【図１】本発明による部材の位置決め方法を実施する駆動システムの略示図である。
【符号の説明】
１０  駆動システム
１２  電動モータ
１３  駆動装置
１４  駆動軸
１６  伝動装置
１８  伝達部材
２０  位置決めされる部材
２２  第１の終位置
２４  第２の終位置
２６，２８  終端ストッパ
３０，３２  モータ接続線
３４  制御回路
３６  信号発生器
３８  センサ
４０  評価回路
４２  制御回路入力部
【図１】
0003889835.tif 000002